(57)【要約】      （修正有）【課題】天吊りした場合に、風等の影響でプロジェクターが揺れること及び投写された画像が揺れることを抑制することができるプロジェクターを提供する。【解決手段】プロジェクター１０１は、投写部、透光部材３０１、照明部、拡散部材、筐体６０１を備え、筐体６０１は、複数方向から支持する支持部材８０１により吊下げられる。【選択図】図１Ａ
2019174601.tif 000002
【特許請求の範囲】
【請求項１】
画像光を射出する投写部と、
前記投写部から射出された前記画像光を透過させる透光部材と、
照明光を射出する照明部と、
前記照明部から射出された前記照明光を拡散させる拡散部材と、
前記投写部および前記照明部を内蔵し、前記透光部材および前記拡散部材が設置されて柱状に伸びて形成される筐体と、を備え、
前記筐体は、複数方向から支持する支持部材により吊下げられることを特徴とするプロジェクター。
【請求項２】
請求項１に記載のプロジェクターであって、
前記透光部材は、前記筐体の長手方向の端面および/または短手方向の側面に設置されていることを特徴とするプロジェクター。
【発明の詳細な説明】
【技術分野】
【０００１】
本発明は、プロジェクターに関する。
【背景技術】
【０００２】
従来、特許文献１に記載されているように、天井面や壁面等に取り付けられ、画像の投写方向を容易に調整可能なプロジェクターが知られている。
【先行技術文献】
【特許文献】
【０００３】
【特許文献１】国際公開第１６／１０３５４３号
【発明の概要】
【発明が解決しようとする課題】
【０００４】
しかしながら、特許文献１に記載のプロジェクターは、取付け金具を用いてプロジェクターの本体を支持するため、衣料品店、化粧品店、飲食店等、室内空間の雰囲気を重要視する店舗で使用する場合、雰囲気が損なわれてしまうおそれがある。そのため、取付け金具の代わりにワイヤー等を用いて天井からプロジェクターを吊るして設置することにより、店舗の雰囲気を損なうことなくプロジェクターを設置することができる。しかし、この場合、風等の影響でプロジェクターが揺れることにより、投写された画像も揺れてしまうという課題がある。
【課題を解決するための手段】
【０００５】
本願のプロジェクターは、画像光を射出する投写部と、投写部から射出された画像光を透過させる透光部材と、照明光を射出する照明部と、照明部から射出された照明光を拡散させる拡散部材と、投写部および照明部を内蔵し、透光部材および拡散部材が設置されて柱状に伸びて形成される筐体と、を備え、筐体は、複数方向から支持する支持部材により吊下げられることを特徴とする。
【０００６】
上記プロジェクターの透光部材は、筐体の長手方向の端面および/または短手方向の側面に設置されていることが好ましい。
【図面の簡単な説明】
【０００７】
【図１Ａ】実施形態におけるプロジェクターを設置する場合の例を示す図。
【図１Ｂ】実施形態１に係るプロジェクターを示す斜視図。
【図１Ｃ】実施形態１に係るプロジェクターを示す斜視図。
【図１Ｄ】プロジェクターの構成を示す水平方向の概略断面図。
【図１Ｅ】プロジェクターの構成を示す垂直方向の概略断面図。
【図１Ｆ】実施形態１に係るプロジェクターを各軸方向から見た図。
【図１Ｇ】実施形態１に係るプロジェクターを各軸方向から見た図。
【図１Ｈ】実施形態１に係るプロジェクターを各軸方向から見た図。
【図１Ｉ】実施形態１に係るプロジェクターを各軸方向から見た図。
【図１Ｊ】実施形態１に係るプロジェクターを各軸方向から見た図。
【図１Ｋ】実施形態１に係るプロジェクターを各軸方向から見た図。
【図２Ａ】実施形態２に係るプロジェクターを示す斜視図。
【図２Ｂ】実施形態２に係るプロジェクターを示す斜視図。
【図２Ｃ】実施形態２に係るプロジェクターを各軸方向から見た図。
【図２Ｄ】実施形態２に係るプロジェクターを各軸方向から見た図。
【図２Ｅ】実施形態２に係るプロジェクターを各軸方向から見た図。
【図２Ｆ】実施形態２に係るプロジェクターを各軸方向から見た図。
【図２Ｇ】実施形態２に係るプロジェクターを各軸方向から見た図。
【図２Ｈ】実施形態２に係るプロジェクターを各軸方向から見た図。
【図３Ａ】実施形態３に係るプロジェクターを示す斜視図。
【図３Ｂ】実施形態３に係るプロジェクターを示す斜視図。
【図４Ａ】実施形態４に係るプロジェクターを示す斜視図。
【図４Ｂ】実施形態４に係るプロジェクターを示す斜視図。
【図５Ａ】実施形態５に係るプロジェクターを示す斜視図。
【図５Ｂ】実施形態５に係るプロジェクターを示す斜視図。
【図６Ａ】実施形態６に係るプロジェクターを示す斜視図。
【図６Ｂ】実施形態６に係るプロジェクターを示す斜視図。
【図６Ｃ】実施形態６に係るプロジェクターを示す斜視図。
【図７Ａ】実施形態７に係るプロジェクターを示す斜視図。
【図７Ｂ】実施形態７に係るプロジェクターを示す斜視図。
【図７Ｃ】実施形態７に係るプロジェクターを示す斜視図。
【図８Ａ】実施形態８に係るプロジェクターを示す斜視図。
【図８Ｂ】実施形態８に係るプロジェクターを示す斜視図。
【図８Ｃ】実施形態８に係るプロジェクターを示す斜視図。
【図９Ａ】実施形態９に係るプロジェクターを示す斜視図。
【図９Ｂ】実施形態９に係るプロジェクターを示す斜視図。
【図９Ｃ】実施形態９に係るプロジェクターを示す斜視図。
【図１０Ａ】実施形態１０に係るプロジェクターを示す斜視図。
【図１０Ｂ】実施形態１０に係るプロジェクターを示す斜視図。
【図１０Ｃ】実施形態１０に係るプロジェクターを各軸方向から見た図。
【図１０Ｄ】実施形態１０に係るプロジェクターを各軸方向から見た図。
【図１０Ｅ】実施形態１０に係るプロジェクターを各軸方向から見た図。
【図１０Ｆ】実施形態１０に係るプロジェクターを各軸方向から見た図。
【図１０Ｇ】実施形態１０に係るプロジェクターを各軸方向から見た図。
【図１０Ｈ】実施形態１０に係るプロジェクターを各軸方向から見た図。
【図１１Ａ】実施形態１１に係るプロジェクターを示す斜視図。
【図１１Ｂ】実施形態１１に係るプロジェクターを示す斜視図。
【図１１Ｃ】実施形態１１に係るプロジェクターを各軸方向から見た図。
【図１１Ｄ】実施形態１１に係るプロジェクターを各軸方向から見た図。
【図１１Ｅ】実施形態１１に係るプロジェクターを各軸方向から見た図。
【図１１Ｆ】実施形態１１に係るプロジェクターを各軸方向から見た図。
【図１１Ｇ】実施形態１１に係るプロジェクターを各軸方向から見た図。
【図１１Ｈ】実施形態１１に係るプロジェクターを各軸方向から見た図。
【図１２Ａ】実施形態１２に係るプロジェクターを示す斜視図。
【図１２Ｂ】実施形態１２に係るプロジェクターを示す斜視図。
【図１３Ａ】実施形態１３に係るプロジェクターを示す斜視図。
【図１３Ｂ】実施形態１３に係るプロジェクターを示す斜視図。
【図１３Ｃ】実施形態１３に係るプロジェクターを各軸方向から見た図。
【図１３Ｄ】実施形態１３に係るプロジェクターを各軸方向から見た図。
【図１３Ｅ】実施形態１３に係るプロジェクターを各軸方向から見た図。
【図１３Ｆ】実施形態１３に係るプロジェクターを各軸方向から見た図。
【図１３Ｇ】実施形態１３に係るプロジェクターを各軸方向から見た図。
【図１３Ｈ】実施形態１３に係るプロジェクターを各軸方向から見た図。
【図１４Ａ】実施形態１４に係るプロジェクターを示す斜視図。
【図１４Ｂ】実施形態１４に係るプロジェクターを示す斜視図。
【図１５Ａ】実施形態１５に係るプロジェクターを示す斜視図。
【図１５Ｂ】実施形態１５に係るプロジェクターを示す斜視図。
【図１５Ｃ】実施形態１５に係るプロジェクターを示す斜視図。
【図１６Ａ】実施形態１６に係るプロジェクターを示す斜視図。
【図１６Ｂ】実施形態１６に係るプロジェクターを示す斜視図。
【図１７Ａ】実施形態１７に係るプロジェクターを示す斜視図。
【図１７Ｂ】実施形態１７に係るプロジェクターを示す斜視図。
【図１８Ａ】実施形態１８に係るプロジェクターを示す斜視図。
【図１８Ｂ】実施形態１８に係るプロジェクターを示す斜視図。
【図１９Ａ】実施形態１９に係るプロジェクターを示す斜視図。
【図１９Ｂ】実施形態１９に係るプロジェクターを示す斜視図。
【図２０Ａ】実施形態２０に係るプロジェクターを示す斜視図。
【図２０Ｂ】実施形態２０に係るプロジェクターを示す斜視図。
【図２１Ａ】実施形態２１に係るプロジェクターを示す斜視図。
【図２１Ｂ】実施形態２１に係るプロジェクターを示す斜視図。
【図２２Ａ】実施形態２２に係るプロジェクターを示す斜視図。
【図２２Ｂ】実施形態２２に係るプロジェクターを示す斜視図。
【図２３Ａ】実施形態２３に係るプロジェクターを示す斜視図。
【図２３Ｂ】実施形態２３に係るプロジェクターを示す斜視図。
【図２３Ｃ】実施形態２３に係るプロジェクターを示す斜視図。
【図２３Ｄ】実施形態２３に係るプロジェクターを示す斜視図。
【図２４Ａ】実施形態２４に係るプロジェクターを示す斜視図。
【図２４Ｂ】実施形態２４に係るプロジェクターを示す斜視図。
【図２４Ｃ】実施形態２４に係るプロジェクターを示す斜視図。
【図２４Ｄ】実施形態２４に係るプロジェクターを示す斜視図。
【図２５Ａ】実施形態２５に係るプロジェクターを示す斜視図。
【図２５Ｂ】実施形態２５に係るプロジェクターを示す斜視図。
【図２５Ｃ】プロジェクターの構成を示す水平方向の概略断面図。
【図２６Ａ】実施形態２６に係るプロジェクターを示す斜視図。
【図２６Ｂ】実施形態２６に係るプロジェクターを示す斜視図。
【図２７Ａ】実施形態２７に係るプロジェクターを示す斜視図。
【図２７Ｂ】実施形態２７に係るプロジェクターを示す斜視図。
【図２７Ｃ】プロジェクターの構成を示す水平方向の概略断面図。
【図２８Ａ】実施形態２８に係るプロジェクターを示す斜視図。
【図２８Ｂ】実施形態２８に係るプロジェクターを示す斜視図。
【図２９Ａ】実施形態２９に係るプロジェクターを示す斜視図。
【図２９Ｂ】実施形態２９に係るプロジェクターを示す斜視図。
【図２９Ｃ】実施形態２９に係るプロジェクターを各軸方向から見た図。
【図２９Ｄ】実施形態２９に係るプロジェクターを各軸方向から見た図。
【図２９Ｅ】実施形態２９に係るプロジェクターを各軸方向から見た図。
【図２９Ｆ】実施形態２９に係るプロジェクターを各軸方向から見た図。
【図２９Ｇ】実施形態２９に係るプロジェクターを各軸方向から見た図。
【図２９Ｈ】実施形態２９に係るプロジェクターを各軸方向から見た図。
【発明を実施するための形態】
【０００８】
以下、本発明の実施形態について図面を参照して説明する。なお、以下の各図においては、各部材を認識可能な程度の大きさとするため、各部材の尺度を実際とは異ならせている。
【０００９】
図１Ａは、以降の実施形態におけるプロジェクター１００を設置する場合の例を示す図である。なお、図１Ａは、相互に直交する座標軸であるＸＹＺ軸を付記し、水平面に一致するＸＹ平面にプロジェクター１００を設置した場合の設置状態を図示している。この場合、Ｘ軸はプロジェクター１００の筐体６０１が伸びる方向に一致させ、Ｘ（＋）軸は筐体６０１の長手方向で実施形態１の画像光Ｇ１が投写される方向に一致させている。Ｙ軸はプロジェクター１００の筐体６０１の短手方向に一致させ、Ｙ（＋）軸は筐体６０１のＸ（＋）軸方向の端面を正面６０１ａとして見た場合、Ｘ軸に直交して右側となる方向に一致させている。Ｚ軸は、Ｘ軸及びＹ軸に直交し、Ｚ（＋）軸は筐体６０１のＸ（＋）軸方向の端面を正面として見た場合、上側となる方向に一致させている。
【００１０】
＜実施形態１＞
図１Ｂ、図１Ｃは、実施形態１に係るプロジェクター１０１を示す斜視図である。図１Ｄは、プロジェクター１０１の構成を示す水平方向の概略断面図である。図１Ｅは、プロジェクター１０１の構成を示す垂直方向の概略断面図である。
【００１１】
図１Ｆ〜図１Ｋは、実施形態１に係るプロジェクター１０１を各軸方向から見た図である。詳細には、図１Ｆは、Ｘ（＋）軸方向から見た図（正面図）である。図１Ｇは、Ｘ（−）軸方向から見た図（背面図）である。図１Ｈは、Ｙ（＋）軸方向から見た図（右側面図）である。図１Ｉは、Ｙ（−）軸方向から見た図（左側面図）である。図１Ｊは、Ｚ（＋）軸方向から見た図（天面図）である。図１Ｋは、Ｚ（−）軸方向から見た図（底面図）である。
以降では、プロジェクター１００の例として、実施形態１の例となるプロジェクター１０１を用いて構成を説明する。
【００１２】
［プロジェクターの構成と動作］
実施形態１に係るプロジェクター１０１の構成と動作に関し、図１Ａ〜図１Ｋを参照して説明する。
プロジェクター１０１は、画像光Ｇ１を投写する投写部２５０（図１Ｄ、図１Ｅ）と、投写部２５０から投写された画像光Ｇ１を透過させる透光部材３０１と、照明光Ｌ１を射出する照明部４０１（図１Ｅ）と、照明部４０１から射出された照明光Ｌ１を拡散させる拡散部材５０１（図１Ｃ、図１Ｅ）とを備えて構成されている。プロジェクター１０１は、ＹＺ平面による断面が四角形で柱状に伸びて形成される筐体６０１を備え、投写部２５０及び照明部４０１を内蔵し、透光部材３０１及び拡散部材５０１が設置されている。
【００１３】
実施形態１の筐体６０１に対して、長手方向（Ｘ軸方向）の両端面において、Ｘ（＋）軸方向の端面を正面６０１ａとし、Ｘ（−）軸方向の端面を背面６０１ｂとする。また、短手方向（Ｙ軸方向）の両側面において、Ｙ（＋）軸方向の側面を右側面６０１ｃとし、Ｙ（−）軸方向の側面を左側面６０１ｄとする。また、長手方向（Ｘ軸方向）と短手方向（Ｙ軸方向）とに直交するＺ軸方向の両側面において、Ｚ（＋）軸方向の側面を天面６０１ｅとし、Ｚ（−）軸方向の側面を底面６０１ｆとする。
【００１４】
実施形態１のプロジェクター１０１は、図１Ｂに示すように、正面６０１ａの全面を覆って透光部材３０１が設置されている。正面６０１ａの全面を覆って透光部材３０１を設置する構造として、実施形態１では、例えば、図１Ｅ、図１Ｄに示すように、正面６０１ａは、傾斜した面とし、その傾斜した面に、透光部材３０１の傾斜した端面が重なる構造としている。
【００１５】
また、図１Ｃに示すように、筐体６０１の底面６０１ｆには、拡散部材５０１が四角形に設置されている。また、図１Ｂに示すように、筐体６０１の天面６０１ｅには、投写部２５０で発生する熱を冷却するために、筐体６０１内部に外気を取込む吸気口、及び発生した熱を冷却することで温まった外気を筐体６０１外部に排気する排気口として機能させる開口部７０１が形成されている。
【００１６】
プロジェクター１０１は店舗等に設置される。詳細には、図１Ａに示すように、店舗の天井面１０にワイヤー等の支持部材８０１により吊下げて設置される。また、天面６０１ｅの２箇所から、２方向（複数方向）となるＶ字状に延びるワイヤーにより支持されて吊下げられている。なお、プロジェクター１０１は、２方向のみでなく３方向に延びて吊下げられてもよい。また、天井面１０から電源ケーブル９０１を用いてプロジェクター１０１に電源を供給している。さらに、外部機器から映像信号を供給する際には、天井面１０から信号ケーブル９０３を用いてプロジェクター１０１に信号を供給している。
【００１７】
図１Ａに示すように、天井面１０に吊下げられたプロジェクター１０１は、透光部材３０１を透過した投写部２５０からの画像光Ｇ１が、Ｘ（＋）軸方向に位置する壁面１１に設置されるスクリーンＳＣ等に画像として投写される。また、天井面１０に吊下げられたプロジェクター１０１は、拡散部材５０１で拡散された照明部４０１からの照明光Ｌ１が、Ｚ（−）軸方向に位置する床面１２や机上面等に照射される。
【００１８】
［投写部の構成と動作］
実施形態１に係る投写部２５０の構成と動作に関し、図１Ｄを参照して説明する。
図１Ｄに示すように、プロジェクター１０１の投写部２５０は、プロジェクター１０１の光学系を構成している。投写部２５０は、光源ユニット２１１から射出された光を画像信号に基づき変調して画像光Ｇ１を形成し、投写レンズ２２７を介して、実施形態１では壁面１１に設置されるスクリーンＳＣ等の投写対象面に投写画像を形成するものである。
【００１９】
投写部２５０は、図１Ｄに示すように、インテグレーター光学系２１０と、２つのダイクロイックミラー２１４，２１５と、３つの反射ミラー２１６，２１７，２１８と、５つのリレーレンズ２２１，２２２，２２３，２２４，２２５と、３つの液晶ライトバルブ２３１，２３２，２３３と、クロスダイクロイックプリズム２２６と、投写レンズ２２７とを備えている。
【００２０】
インテグレーター光学系２１０は、例えば超高圧水銀ランプ等の白色光源からなる光源としての光源ユニット２１１と、インテグレーターレンズ２１２と、偏光変換素子２１３とを備えている。光源ユニット２１１と、インテグレーターレンズ２１２と、偏光変換素子２１３とは、システム光軸Ｌに沿って配置されている。
【００２１】
ダイクロイックミラー２１４は、インテグレーター光学系２１０から射出された偏光光のうち、赤色光（Ｒ）を透過させ、緑色光（Ｇ）と青色光（Ｂ）とを反射させる。もう１つのダイクロイックミラー２１５は、ダイクロイックミラー２１４で反射した緑色光（Ｇ）を反射させ、青色光（Ｂ）を透過させる。
【００２２】
ダイクロイックミラー２１４を透過した赤色光（Ｒ）は、反射ミラー２１６で反射した後に、リレーレンズ２２５を経由して液晶ライトバルブ２３１に入射する。ダイクロイックミラー２１５で反射した緑色光（Ｇ）は、リレーレンズ２２４を経由して液晶ライトバルブ２３２に入射する。ダイクロイックミラー２１５を透過した青色光（Ｂ）は、３つのリレーレンズ２２１，２２２，２２３と、２つの反射ミラー２１７，２１８とで構成される導光系を経由して液晶ライトバルブ２３３に入射する。
【００２３】
光変調素子である透過型の液晶ライトバルブ２３１，２３２，２３３は、クロスダイクロイックプリズム２２６の色光ごとの入射面に対してそれぞれ対向配置されている。液晶ライトバルブ２３１，２３２，２３３に入射した色光は、画像信号に基づいて変調され、クロスダイクロイックプリズム２２６に向けて射出される。
【００２４】
クロスダイクロイックプリズム２２６は、４つの直角プリズムが貼り合わされて構成されており、その内面には赤色光を反射する誘電体多層膜と青色光を反射する誘電体多層膜とが十字状に形成されている。これらの誘電体多層膜によって３つの色光が合成されて、カラー画像を表す光が合成される。合成された光は、投写レンズ２２７によって透光部材３０１に向けて射出され、透光部材３０１を透過した画像光Ｇ１が壁面１１に設置されたスクリーンＳＣに画像として拡大表示される。
【００２５】
なお、実施形態１の投写部２５０において、赤色光（Ｒ）、緑色光（Ｇ）、青色光（Ｂ）の３色に対応する３つの液晶ライトバルブ２３１，２３２，２３３を用いる、いわゆる３板方式を採用しているが、白色光として色分離せずに、１つの液晶ライトバルブを用いる、いわゆる単板方式を採用してもよい。
【００２６】
実施形態１の投写部２５０において、光源ユニット２１１には、放電型の光源ユニットを用いている。しかし、これに限られず、固体光源を用いた光源ユニットを用いてもよい。固体光源としては、レーザー光源、ＬＥＤ（Light Emitting Diode）素子、有機ＥＬ（Electro Luminescence）素子、シリコン発光素子等の各種固体発光素子等が挙げられる。
【００２７】
実施形態１の投写部２５０において、光変調素子として透過型の液晶ライトバルブ２３１，２３２，２３３を用いている。しかし、これに限られず、反射型の液晶ライトバルブを用いてもよい。
【００２８】
実施形態１の投写部２５０において、光変調素子として透過型の光変調素子を用いている。しかし、これに限られず、マイクロミラー型の光変調素子等、他の方式の光変調素子を用いることができる。なお、マイクロミラー型の光変調素子として、例えば、ＤＭＤ（Digital Micromirror Device）を用いることができる。
【００２９】
［照明部の構成と動作］
実施形態１に係る照明部４０１の構成と動作に関し、図１Ｅを参照して説明する。
図１Ｅに示すように、プロジェクター１０１の照明部４０１は、ＬＥＤ素子（図示省略）がアレイ状に複数並んで下面に実装されるＬＥＤボード４１１で構成されている。また、筐体６０１の底面６０１ｆには、拡散部材５０１が設置されている。そして、ＬＥＤボード４１１（ＬＥＤ素子）が発光し、発光した光がＬＥＤボード４１１から下側に射出される。射出された光は、ＬＥＤボード４１１の下側に位置する拡散部材５０１に入射する。入射した光は、拡散部材５０１を透過することで拡散されて射出される。拡散部材５０１で拡散されて射出された光（照明光Ｌ１）は、下側に位置する例えば床面１２を照明する。
【００３０】
以上述べたように、実施形態１に係るプロジェクター１０１（１００）によれば、以下の効果を得ることができる。
プロジェクター１０１（１００）を天井面１０に吊下げた場合、複数の方向から支持される揺れ防止用の支持部材８０１を取付けているため、風等によりプロジェクター１０１（１００）が揺れる場合にも、揺れを抑制して小さくでき、また、揺れを収束させる時間も短くできる。従って、投写された画像の揺れを抑制することができ、画像が見難くなることを抑制することができる。
【００３１】
＜実施形態２＞
実施形態２に係るプロジェクター１０２に関し、図２Ａ〜図２Ｈを参照して説明する。
図２Ａ、図２Ｂは、実施形態２に係るプロジェクター１０２を示す斜視図である。詳細には、図２Ａは、正面側で右側上方から見た斜視図である。図２Ｂは、背面側で左側下方から見た斜視図である。
【００３２】
図２Ｃ〜図２Ｈは、実施形態２に係るプロジェクター１０２を各軸方向から見た図である。詳細には、図２Ｃは、Ｘ（＋）軸方向から見た図（正面図）である。図２Ｄは、Ｘ（−）軸方向から見た図（背面図）である。図２Ｅは、Ｙ（＋）軸方向から見た図（右側面図）である。図２Ｆは、Ｙ（−）軸方向から見た図（左側面図）である。図２Ｇは、Ｚ（＋）軸方向から見た図（天面図）である。図２Ｈは、Ｚ（−）軸方向から見た図（底面図）である。
【００３３】
実施形態２のプロジェクター１０２は、実施形態１のプロジェクター１０１と比較した場合、プロジェクター１０２の外装となる筐体６０１Ａが、実施形態１の筐体６０１よりもＸ軸方向に長く構成されていることである。それに伴って、拡散部材５０１Ａが、実施形態１の拡散部材５０１よりもＸ軸方向に長く構成されていることである。その他の構成は、実施形態１のプロジェクター１０１と同様に構成されている。
【００３４】
なお、プロジェクター１０２、及び以降で説明するプロジェクター１０３〜１２２，１２４〜１２９において、実施形態１のプロジェクター１０１に備えた開口部７０１を有しても、有さなくてもよい。
【００３５】
＜実施形態３＞
実施形態３に係るプロジェクター１０３に関し、図３Ａ、図３Ｂを参照して説明する。
図３Ａ、図３Ｂは、実施形態３に係るプロジェクター１０３を示す斜視図である。詳細には、図３Ａは、正面側で右側上方から見た斜視図である。図３Ｂは、背面側で左側下方から見た斜視図である。
【００３６】
実施形態３のプロジェクター１０３において、実施形態１の透光部材３０１が、筐体６０１の正面６０１ａの全面を覆って設置されていることに比較して、実施形態３の透光部材３０１Ａは、正面６０１ａの外縁を残して設置された状態となっている。その他の構成は、実施形態１のプロジェクター１０１と同様に構成されている。
【００３７】
＜実施形態４＞
実施形態４に係るプロジェクター１０４に関し、図４Ａ、図４Ｂを参照して説明する。
図４Ａ、図４Ｂは、実施形態４に係るプロジェクター１０４を示す斜視図である。詳細には、図４Ａは、正面側で右側上方から見た斜視図である。図４Ｂは、背面側で左側下方から見た斜視図である。
【００３８】
実施形態４のプロジェクター１０４において、実施形態３の透光部材３０１Ａが、正面６０１ａの外縁を残して設置されていることに比較して、実施形態４の透光部材３０１Ｂは、透光部材３０１Ａよりも面積が小さくなる四角形で、正面６０１ａの概略中央部に設置された状態となっている。その他の構成は、実施形態１のプロジェクター１０１と同様に構成されている。
【００３９】
＜実施形態５＞
実施形態５に係るプロジェクター１０５に関し、図５Ａ、図５Ｂを参照して説明する。
図５Ａ、図５Ｂは、実施形態５に係るプロジェクター１０５を示す斜視図である。詳細には、図５Ａは、正面側で右側上方から見た斜視図である。図５Ｂは、背面側で左側下方から見た斜視図である。
【００４０】
実施形態５のプロジェクター１０５において、実施形態４の透光部材３０１Ｂが、概略中央部に設置された状態に比較して、実施形態５の透光部材３０１Ｃは、正面６０１ａの中央部からオフセットして設置された状態となっている。その他の構成は、実施形態１のプロジェクター１０１と同様に構成されている。
【００４１】
＜実施形態６＞
実施形態６に係るプロジェクター１０６に関し、図６Ａ、図６Ｂ、図６Ｃを参照して説明する。
図６Ａ、図６Ｂ、図６Ｃは、実施形態６に係るプロジェクター１０６を示す斜視図である。詳細には、図６Ａは、正面側で右側上方から見た斜視図である。図６Ｂは、正面側で左側下方から見た斜視図である。図６Ｃは、背面側で左側下方から見た斜視図である。
【００４２】
実施形態６のプロジェクター１０６において、実施形態１の透光部材３０１が、筐体６０１の正面６０１ａの全面を覆って設置されていることに比較して、実施形態６の透光部材３０６は、正面６０１ａから内側に設置された状態となっている。その他の構成は、実施形態１のプロジェクター１０１と同様に構成されている。
【００４３】
＜実施形態７＞
実施形態７に係るプロジェクター１０７に関し、図７Ａ、図７Ｂ、図７Ｃを参照して説明する。
図７Ａ、図７Ｂ、図７Ｃは、実施形態７に係るプロジェクター１０７を示す斜視図である。詳細には、図７Ａは、正面側で右側上方から見た斜視図である。図７Ｂは、正面側で左側下方から見た斜視図である。図７Ｃは、背面側で左側下方から見た斜視図である。
【００４４】
実施形態７のプロジェクター１０７において、実施形態６の透光部材３０６が、筐体６０１の正面６０１ａから内側に設置されていることに比較して、実施形態７の透光部材３０６Ａは、正面６０１ａの角部に配置され、正面６０１ａから内側に設置されている。その他の構成は、実施形態６のプロジェクター１０６と同様に構成されている。
【００４５】
＜実施形態８＞
実施形態８に係るプロジェクター１０８に関し、図８Ａ、図８Ｂ、図８Ｃを参照して説明する。
図８Ａ、図８Ｂ、図８Ｃは、実施形態８に係るプロジェクター１０８を示す斜視図である。詳細には、図８Ａは、正面側で右側上方から見た斜視図である。図８Ｂは、正面側で左側下方から見た斜視図である。図８Ｃは、背面側で左側下方から見た斜視図である。
【００４６】
実施形態８のプロジェクター１０８において、実施形態７の透光部材３０６Ａが、筐体６０１の正面６０１ａの角部で、正面６０１ａから内側に設置されていることに比較して、実施形態８の透光部材３０６Ｂは、正面６０１ａの中央部または正面６０１ａの外周部に配置され、正面６０１ａから内側に設置されている。その他の構成は、実施形態６のプロジェクター１０６と同様に構成されている。
【００４７】
＜実施形態９＞
実施形態９に係るプロジェクター１０９に関し、図９Ａ、図９Ｂ、図９Ｃを参照して説明する。
図９Ａ、図９Ｂ、図９Ｃは、実施形態９に係るプロジェクター１０９を示す斜視図である。詳細には、図９Ａは、正面側で右側上方から見た斜視図である。図９Ｂは、正面側で左側下方から見た斜視図である。図９Ｃは、背面側で左側下方から見た斜視図である。
【００４８】
実施形態９のプロジェクター１０９において、実施形態７の透光部材３０６Ａが、筐体６０１の正面６０１ａの角部で、正面６０１ａから内側に設置されていることに比較して、実施形態９の透光部材３０６Ｃは、正面６０１ａの外周部に沿って配置され、正面６０１ａから内側に設置されている。その他の構成は、実施形態６のプロジェクター１０６と同様に構成されている。
【００４９】
＜実施形態１０＞
実施形態１０に係るプロジェクター１１０に関し、図１０Ａ〜図１０Ｈを参照して説明する。
図１０Ａ、図１０Ｂは、実施形態１０に係るプロジェクター１１０を示す斜視図である。詳細には、図１０Ａは、正面側で右側上方から見た斜視図である。図１０Ｂは、背面側で左側下方から見た斜視図である。
【００５０】
図１０Ｃ〜図１０Ｈは、実施形態１０に係るプロジェクター１１０を各軸方向から見た図である。詳細には、図１０Ｃは、Ｘ（＋）軸方向から見た図（正面図）である。図１０Ｄは、Ｘ（−）軸方向から見た図（背面図）である。図１０Ｅは、Ｙ（＋）軸方向から見た図（右側面図）である。図１０Ｆは、Ｙ（−）軸方向から見た図（左側面図）である。図１０Ｇは、Ｚ（＋）軸方向から見た図（天面図）である。図１０Ｈは、Ｚ（−）軸方向から見た図（底面図）である。
【００５１】
実施形態１０のプロジェクター１１０は、実施形態１のプロジェクター１０１と比較した場合、実施形態１の筐体６０１が、断面（ＹＺ平面での断面）が四角形で柱状に伸びて構成されていることに比較して、実施形態１０の筐体６１０は、断面（ＹＺ平面での断面）が円形で柱状に伸びて構成されていることが異なる。
【００５２】
実施形態１０の筐体６１０に対して、断面が円形で柱状に延びた長手方向となるＸ軸方向の両端面において、Ｘ（＋）軸方向の端面を正面６１０ａとし、Ｘ（−）軸方向の端面を背面６１０ｂとする。また、断面が円形の柱状の側面を外周面６１０ｃとする。
【００５３】
これに伴い、透光部材３１０も円形に形成されている。そして、実施形態１０のプロジェクター１１０は、実施形態１の透光部材３０１と同様に、図１０Ａに示すように、正面６１０ａの全面を覆って透光部材３１０が設置されている。また、図１０Ｂに示すように、筐体６１０の外周面６１０ｃの下方向には、拡散部材５１０が設置されている。拡散部材５１０は、平面形状が概トラック形状で、外周面６１０ｃに沿った曲面で構成されて設置されている。
【００５４】
＜実施形態１１＞
実施形態１１に係るプロジェクター１１１に関し、図１１Ａ〜図１１Ｈを参照して説明する。
図１１Ａ、図１１Ｂは、実施形態１１に係るプロジェクター１１１を示す斜視図である。詳細には、図１１Ａは、正面側で右側上方から見た斜視図である。図１１Ｂは、背面側で左側下方から見た斜視図である。
【００５５】
図１１Ｃ〜図１１Ｈは、実施形態１１に係るプロジェクター１１１を各軸方向から見た図である。詳細には、図１１Ｃは、Ｘ（＋）軸方向から見た図（正面図）である。図１１Ｄは、Ｘ（−）軸方向から見た図（背面図）である。図１１Ｅは、Ｙ（＋）軸方向から見た図（右側面図）である。図１１Ｆは、Ｙ（−）軸方向から見た図（左側面図）である。図１１Ｇは、Ｚ（＋）軸方向から見た図（天面図）である。図１１Ｈは、Ｚ（−）軸方向から見た図（底面図）である。
【００５６】
実施形態１１のプロジェクター１１１は、実施形態１０のプロジェクター１１０と比較した場合、プロジェクター１１１の外装となる筐体６１０Ａが、実施形態１０の筐体６１０よりもＸ軸方向に長く構成されていることである。それに伴って、拡散部材５１０Ａが、実施形態１０の拡散部材５１０よりもＸ軸方向に長く構成されていることである。その他の構成は、実施形態１０のプロジェクター１１０と同様に構成されている。
【００５７】
＜実施形態１２＞
実施形態１２に係るプロジェクター１１２に関し、図１２Ａ、図１２Ｂを参照して説明する。
図１２Ａ、図１２Ｂは、実施形態１２に係るプロジェクター１１２を示す斜視図である。詳細には、図１２Ａは、正面側で右側上方から見た斜視図である。図１２Ｂは、背面側で左側下方から見た斜視図である。
【００５８】
実施形態１２のプロジェクター１１２において、実施形態１０の透光部材３１０が、筐体６１０の正面６１０ａの全面を覆って設置されていることに比較して、実施形態１２の透光部材３１０Ａは、正面６１０ａの外縁を残して設置された状態となっている。その他の構成は、実施形態１０のプロジェクター１１０と同様に構成されている。
【００５９】
＜実施形態１３＞
実施形態１３に係るプロジェクター１１３に関し、図１３Ａ〜図１３Ｈを参照して説明する。
図１３Ａ、図１３Ｂは、実施形態１３に係るプロジェクター１１３を示す斜視図である。詳細には、図１３Ａは、正面側で右側上方から見た斜視図である。図１３Ｂは、背面側で左側下方から見た斜視図である。
【００６０】
図１３Ｃ〜図１３Ｈは、実施形態１３に係るプロジェクター１１３を各軸方向から見た図である。詳細には、図１３Ｃは、Ｘ（＋）軸方向から見た図（正面図）である。図１３Ｄは、Ｘ（−）軸方向から見た図（背面図）である。図１３Ｅは、Ｙ（＋）軸方向から見た図（右側面図）である。図１３Ｆは、Ｙ（−）軸方向から見た図（左側面図）である。図１３Ｇは、Ｚ（＋）軸方向から見た図（天面図）である。図１３Ｈは、Ｚ（−）軸方向から見た図（底面図）である。
【００６１】
実施形態１３の筐体６１３に対して、断面が円形で柱状に延びた長手方向となるＸ軸方向の両端面において、Ｘ（＋）軸方向の端面を正面６１３ａとし、Ｘ（−）軸方向の端面を背面６１３ｂとする。また、断面が円形の柱状の側面を外周面６１３ｃとする。
【００６２】
実施形態１３のプロジェクター１１３において、実施形態１２の透光部材３１０Ａが、正面６１３ａの外縁を残して設置された状態に比較して、実施形態１３の透光部材３１０Ｂは、透光部材３１０Ａよりも面積が小さくなる円形で、正面６１３ａの概略中央部に設置された状態となっている。
【００６３】
実施形態１０の拡散部材５１０は、筐体６１０の外周面６１０ｃの下方向で、平面形状が概トラック形状で、外周面６１０ｃに沿った曲面で形成されている。これに対して、実施形態１３の拡散部材５１３は、Ｘ軸方向の両端面（正面６１３ａ、背面６１３ｂ）において、半月形状となる形状で、外周面６１３ｃに沿った曲面で、外周面６１３ｃの下方の外面を構成するように形成されて設置されている。その他の構成は、実施形態１０のプロジェクター１１０と同様に構成されている。
【００６４】
＜実施形態１４＞
実施形態１４に係るプロジェクター１１４に関し、図１４Ａ、図１４Ｂを参照して説明する。
図１４Ａ、図１４Ｂは、実施形態１４に係るプロジェクター１１４を示す斜視図である。詳細には、図１４Ａは、正面側で右側上方から見た斜視図である。図１４Ｂは、背面側で左側下方から見た斜視図である。
【００６５】
実施形態１４のプロジェクター１１４において、実施形態１３の透光部材３１０Ｂが、概略中央部に設置された状態に比較して、実施形態１４の透光部材３１０Ｃは、正面６１３ａの中央部からオフセットして設置された状態となっている。その他の構成は、実施形態１３のプロジェクター１１３と同様に構成されている。
【００６６】
＜実施形態１５＞
実施形態１５に係るプロジェクター１１５に関し、図１５Ａ、図１５Ｂ、図１５Ｃを参照して説明する。
図１５Ａ、図１５Ｂ、図１５Ｃは、実施形態１５に係るプロジェクター１１５を示す斜視図である。詳細には、図１５Ａは、正面側で右側上方から見た斜視図である。図１５Ｂは、正面側で左側下方から見た斜視図である。図１５Ｃは、背面側で左側下方から見た斜視図である。
【００６７】
実施形態１５のプロジェクター１１５において、実施形態１３の透光部材３１０Ｂが、筐体６１３の正面６１３ａの概略中央部に設置されていることに比較して、実施形態１５の透光部材３１５は、正面６１３ａの中央部または正面６１３ａの外周部に配置され、正面６１３ａから内側に設置されている。その他の構成は、実施形態１３のプロジェクター１１３と同様に構成されている。
【００６８】
＜実施形態１６＞
実施形態１６に係るプロジェクター１１６に関し、図１６Ａ、図１６Ｂを参照して説明する。
図１６Ａ、図１６Ｂは、実施形態１６に係るプロジェクター１１６を示す斜視図である。詳細には、図１６Ａは、正面側で右側上方から見た斜視図である。図１６Ｂは、背面側で左側下方から見た斜視図である。
【００６９】
実施形態１６では、実施形態１での各軸方向からの見方と同様に、筐体６１６を構成する各面に対して、正面６１６ａ、背面６１６ｂ、右側面６１６ｃ、左側面６１６ｄ、天面６１６ｅ、底面６１６ｆとしている。
【００７０】
実施形態１の筐体６０１は、断面（ＹＺ平面での断面）が四角形（正方形）で柱状に伸びて形成されるのに比較して。実施形態１６の筐体６１６は、図１６Ａに示すように、断面（ＹＺ平面での断面）が四角形（長方形）で柱状に伸びて形成されている。そして、筐体６１６の正面６１６ａの概右半分を覆って四角形の透光部材３１６が設置されている。また、図１６Ｂに示すように、筐体６１６の底面６１６ｆには、拡散部材５１６が四角形に設置されている。その他の構成は、実施形態１のプロジェクター１０１と同様に構成されている。なお、実施形態１６の透光部材３１６は、筐体６１６の正面６１６ａの右半分を覆って設置されているが、左半分を覆って設置されていてもよい。
【００７１】
＜実施形態１７＞
実施形態１７に係るプロジェクター１１７に関し、図１７Ａ、図１７Ｂを参照して説明する。
図１７Ａ、図１７Ｂは、実施形態１７に係るプロジェクター１１７を示す斜視図である。詳細には、図１７Ａは、正面側で右側上方から見た斜視図である。図１７Ｂは、背面側で左側下方から見た斜視図である。
【００７２】
実施形態１７では、実施形態１での各軸方向からの見方と同様に、筐体６１７を構成する各面に対して、正面６１７ａ、背面６１７ｂ、右側面６１７ｃ、左側面６１７ｄ、天面６１７ｅ、底面６１７ｆとしている。
【００７３】
実施形態１の筐体６０１は、断面（ＹＺ平面での断面）が四角形で柱状に伸びて形成されるのに比較して、実施形態１７の筐体６１７は、図１７Ａに示すように、断面（ＹＺ平面での断面）が台形で柱状に伸びて形成されている。そして、筐体６１７の正面６１７ａに四角形の透光部材３１７が設置されている。また、図１７Ｂに示すように、筐体６１７の底面６１７ｆには、拡散部材５１７が四角形に設置されている。その他の構成は、実施形態１のプロジェクター１０１と同様に構成されている。
【００７４】
＜実施形態１８＞
実施形態１８に係るプロジェクター１１８に関し、図１８Ａ、図１８Ｂを参照して説明する。
図１８Ａ、図１８Ｂは、実施形態１８に係るプロジェクター１１８を示す斜視図である。詳細には、図１８Ａは、正面側で右側上方から見た斜視図である。図１８Ｂは、背面側で左側下方から見た斜視図である。
【００７５】
実施形態１８では、実施形態１での各軸方向からの見方と同様に、筐体６１８を構成する各面に対して、正面６１８ａ、背面６１８ｂ、右側面６１８ｃ、左側面６１８ｄ、天面６１８ｅ、底面６１８ｆとしている。また、正面６１８ａは、六角形の形状をしており、天面６１８ｅと右側面６１８ｃとに挟まれる面を右斜面６１８ｇ、天面６１８ｅと左側面６１８ｄとに挟まれる面を左斜面６１８ｈとしている。
【００７６】
実施形態１の筐体６０１は、断面（ＹＺ平面での断面）が四角形で柱状に伸びて形成されるのに比較して、実施形態１８の筐体６１８は、図１８Ａに示すように、断面（ＹＺ平面での断面）が六角形で柱状に伸びて形成されている。そして、筐体６１８の正面６１８ａに四角形の透光部材３１８が設置されている。また、図１８Ｂに示すように、筐体６１８の底面６１８ｆには、拡散部材５１８が四角形に設置されている。その他の構成は、実施形態１のプロジェクター１０１と同様に構成されている。
【００７７】
＜実施形態１９＞
実施形態１９に係るプロジェクター１１９に関し、図１９Ａ、図１９Ｂを参照して説明する。
図１９Ａ、図１９Ｂは、実施形態１９に係るプロジェクター１１９を示す斜視図である。詳細には、図１９Ａは、正面側で右側上方から見た斜視図である。図１９Ｂは、背面側で左側下方から見た斜視図である。
【００７８】
実施形態１９では、実施形態１での各軸方向からの見方と同様に、筐体６１９を構成する各面に対して、正面６１９ａ、背面６１９ｂ、右側面６１９ｃ、左側面６１９ｄ、天面６１９ｅ、底面６１９ｆとしている。
【００７９】
実施形態１９のプロジェクター１１９において、筐体６１９は、図１９Ａに示すように、断面（ＹＺ平面での断面）が、角部がラウンド形状に形成された四角形で、柱状に伸びて形成されている。また、実施形態１９の透光部材３１９は、角部がラウンド形状に形成された四角形で正面６１９ａの外縁を残して設置された状態となっている。また、図１９Ｂに示すように、筐体６１９の底面６１９ｆには、拡散部材５１９が四角形に設置されている。その他の構成は、実施形態１のプロジェクター１０１と同様に構成されている。
【００８０】
＜実施形態２０＞
実施形態２０に係るプロジェクター１２０に関し、図２０Ａ、図２０Ｂを参照して説明する。
図２０Ａ、図２０Ｂは、実施形態２０に係るプロジェクター１２０を示す斜視図である。詳細には、図２０Ａは、正面側で右側上方から見た斜視図である。図２０Ｂは、背面側で左側下方から見た斜視図である。
【００８１】
実施形態２０では、実施形態１での各軸方向からの見方と同様に、筐体６２０を構成する各面に対して、正面６２０ａ、背面６２０ｂ、右側面６２０ｃ、左側面６２０ｄ、天面６２０ｅ、底面６２０ｆとしている。
【００８２】
実施形態２０のプロジェクター１２０において、筐体６２０は、図２０Ａに示すように、断面（ＹＺ平面での断面）が四角形ではあるが、上側の辺および下側の辺が曲面で形成された四角形であり、柱状に伸びて形成されている。これにより、天面６２０ｅと底面６２０ｆは、曲面形状となっている。また、実施形態２０の透光部材３２０は、四角形で、正面６２０ａの中心からオフセットされた位置に設置されている。
【００８３】
図２０Ｂに示すように、筐体６２０の底面６２０ｆには、四角形の拡散部材５２０が設置されている。また、拡散部材５２０は、底面６２０ｆの曲面に沿って形成されている。その他の構成は、実施形態１のプロジェクター１０１と同様に構成されている。
【００８４】
＜実施形態２１＞
実施形態２１に係るプロジェクター１２１に関し、図２１Ａ、図２１Ｂを参照して説明する。
図２１Ａ、図２１Ｂは、実施形態２１に係るプロジェクター１２１を示す斜視図である。詳細には、図２１Ａは、正面側で右側上方から見た斜視図である。図２１Ｂは、背面側で左側下方から見た斜視図である。
【００８５】
実施形態２１のプロジェクター１２１において、筐体６２１は、図２１Ａに示すように、断面（ＹＺ平面での断面）がトラック形状で柱状に伸びて形成されている。なお、実施形態２１の筐体６２１に対して、断面がトラック形状で柱状に延びた長手方向となるＸ軸方向の両端面において、Ｘ（＋）軸方向の端面を正面６２１ａとし、Ｘ（−）軸方向の端面を背面６２１ｂとする。また、断面がトラック形状の柱状の側面を外周面６２１ｃとする。
【００８６】
実施形態２１の透光部材３２１は円形であり、正面６２１ａの中心からオフセットされた位置に設置されている。また、図２１Ｂに示すように、筐体６２１の外周面６２１ｃでＺ（−）軸方向となる下側のフラットな面部に、拡散部材５２１が四角形に設置されている。その他の構成は、実施形態１のプロジェクター１０１と同様に構成されている。
【００８７】
＜実施形態２２＞
実施形態２２に係るプロジェクター１２２に関し、図２２Ａ、図２２Ｂを参照して説明する。
図２２Ａ、図２２Ｂは、実施形態２２に係るプロジェクター１２２を示す斜視図である。詳細には、図２２Ａは、正面側で右側上方から見た斜視図である。図２２Ｂは、背面側で左側下方から見た斜視図である。
【００８８】
実施形態２２のプロジェクター１２２において、筐体６２２は、図２２Ａに示すように、断面（ＹＺ平面での断面）が楕円形で柱状に伸びて形成されている。なお、実施形態２２の筐体６２２に対して、断面が楕円形で柱状に延びた長手方向となるＸ軸方向の両端面において、Ｘ（＋）軸方向の端面を正面６２２ａとし、Ｘ（−）軸方向の端面を背面６２２ｂとする。また、断面が楕円形の柱状の側面を外周面６２２ｃとする。
【００８９】
実施形態２２の透光部材３２２は、楕円形であり、正面６２２ａの外縁を残して設置された状態となっている。また、図２２Ｂに示すように、筐体６２２の外周面６２２ｃに、四角形の拡散部材５２２が設置されている。また、拡散部材５２２は、外周面６２２ｃの曲面に沿って形成されている。その他の構成は、実施形態１のプロジェクター１０１と同様に構成されている。
【００９０】
＜実施形態２３＞
実施形態２３に係るプロジェクター１２３に関し、図２３Ａ〜図２３Ｄを参照して説明する。
図２３Ａ〜図２３Ｄは、実施形態２３に係るプロジェクター１２３を示す斜視図である。詳細には、図２３Ａは、正面側で右側上方から見た斜視図である。図２３Ｂは、正面側で左側上方から見た斜視図である。図２３Ｃは、背面側で右側上方から見た斜視図である。図２３Ｄは、背面側で左側下方から見た斜視図である。
【００９１】
実施形態２３に係るプロジェクター１２３において、筐体６２３は、図２３Ａ〜図２３Ｄに示すように、断面（ＹＺ平面での断面）が四角形で柱状に伸びて形成されている。なお、実施形態２３では、実施形態１での各軸方向からの見方と同様に、筐体６２３を構成する各面に対して、正面６２３ａ、背面６２３ｂ、右側面６２３ｃ、左側面６２３ｄ、天面６２３ｅ、底面６２３ｆとする。
【００９２】
実施形態２３では、さらに、図２３Ａ〜図２３Ｄに示すように、断面（ＹＺ平面での断面）が四角形で柱状に伸びて形成される筐体６２３Ａが、筐体６２３の天面６２３ｅに接続して一体となって構成されている。なお、筐体６２３と同様に、筐体６２３Ａを構成する各面に対して、正面６２３ｇ、背面６２３ｈ、右側面６２３ｉ、左側面６２３ｊ、天面６２３ｋ、底面６２３ｍとする。
【００９３】
実施形態２３では、筐体６２３の天面６２３ｅに筐体６２３Ａの底面６２３ｍを一致させている。また、天面６２３ｅの面積よりも底面６２３ｍの面積が小さく構成され、筐体６２３の体積よりも筐体６２３Ａの体積が小さく構成されている。
【００９４】
図２３Ａ、図２３Ｂに示すように、筐体６２３の正面６２３ａの概略中央部には、四角形の透光部材３２３が設置されている。また、図２３Ａ、図２３Ｃに示すように、筐体６２３Ａの右側面６２３ｉには、筐体６２３の内部に収納する投写部２５０で発生した熱を冷却するために、筐体６２３内部に外気を取込む吸気口、および、発生した熱を冷却することで温まった外気を筐体６２３外部に排気する排気口として機能させる開口部７２３が形成されている。図２３Ｄに示すように、筐体６２３の底面６２３ｆには、拡散部材５２３が四角形に設置されている。その他の構成は、実施形態１のプロジェクター１０１と同様に構成されている。
【００９５】
＜実施形態２４＞
実施形態２４に係るプロジェクター１２４に関し、図２４Ａ〜図２４Ｄを参照して説明する。
図２４Ａ〜図２４Ｄは、実施形態２４に係るプロジェクター１２４を示す斜視図である。詳細には、図２４Ａは、正面側で右側上方から見た斜視図である。図２４Ｂは、正面側で左側上方から見た斜視図である。図２４Ｃは、背面側で右側上方から見た斜視図である。図２４Ｄは、背面側で左側下方から見た斜視図である。
【００９６】
実施形態２４に係るプロジェクター１２４において、筐体６２４は、図２４Ａ〜図２４Ｄに示すように、断面（ＹＺ平面での断面）が四角形（Ｙ軸方向が長くなる長方形）で柱状に伸びて形成されている。なお、実施形態２４では、実施形態１での各軸方向からの見方と同様に、筐体６２４を構成する各面に対して、正面６２４ａ、背面６２４ｂ、右側面６２４ｃ、左側面６２４ｄ、天面６２４ｅ、底面６２４ｆとする。
【００９７】
実施形態２４では、さらに、図２４Ａ〜図２４Ｄに示すように、断面（ＹＺ平面での断面）が四角形で柱状に伸びて形成される筐体６２４Ａが、筐体６２４の天面６２４ｅに接続して一体となって構成されている。なお、筐体６２４と同様に、筐体６２４Ａを構成する各面に対して、正面６２４ｇ、背面６２４ｈ、右側面６２４ｉ、左側面６２４ｊ、天面６２４ｋ、底面６２４ｍとする。
【００９８】
実施形態２４では、筐体６２４の天面６２４ｅに筐体６２４Ａの底面６２４ｍを一致させている。また、天面６２４ｅの面積よりも底面６２４ｍの面積が小さく構成され、筐体６２４の体積よりも筐体６２４Ａの体積が小さく構成されている。
【００９９】
図２４Ａ、図２４Ｂに示すように、筐体６２４の正面６２４ａの概略中央部には、四角形の透光部材３２４が設置されている。また、図２４Ｄに示すように、筐体６２４の底面６２４ｆには、拡散部材５２４が四角形に設置されている。なお、実施形態２３の右側面６２３ｉには開口部７２３が形成されているが、実施形態２４の右側面６２４ｉまたは左側面６２４ｊには、開口部が形成されていても、形成されていなくてもよい。その他の構成は、実施形態１のプロジェクター１０１と同様に構成されている。
【０１００】
＜実施形態２５＞
実施形態２５に係るプロジェクター１２５に関し、図２５Ａ、図２５Ｂ、図２５Ｃを参照して説明する。
図２５Ａ、図２５Ｂは、実施形態２５に係るプロジェクター１２５を示す斜視図である。詳細には、図２５Ａは、正面側で右側上方から見た斜視図である。図２５Ｂは、背面側で左側下方から見た斜視図である。図２５Ｃは、プロジェクター１２５の構成を示す水平方向の概略断面図である。
【０１０１】
実施形態２５に係るプロジェクター１２５において、筐体６２５は、図２５Ａ〜図２５Ｃに示すように、断面（ＹＺ平面での断面）が四角形で柱状に伸びて形成されている。なお、実施形態２５では、実施形態１での各軸方向からの見方と同様に、筐体６２５を構成する各面に対して、正面６２５ａ、背面６２５ｂ、右側面６２５ｃ、左側面６２５ｄ、天面６２５ｅ、底面６２５ｆとする。
【０１０２】
実施形態２５では、図２５Ａに示すように、筐体６２５の右側面６２５ｃで、Ｘ（＋）軸方向の端部に、四角形の透光部材３２５が設置されている。透光部材３２５は、右側面６２５ｃの上下方向の幅に一致して設置されている。上述した実施形態１〜実施形態２４では、画像光Ｇ１が、Ｘ（＋）軸方向に射出されているのに対し、実施形態２５では、透光部材３２５を介して、Ｙ（＋）軸方向に画像光が射出される。なお、Ｙ（＋）軸方向に射出される画像光を画像光Ｇ２とする。透光部材３２５を介してＹ（＋）軸方向に射出され画像光Ｇ２は、Ｙ（＋）軸方向に位置する壁面１１に設置されるスクリーンＳＣ等に画像として投写される。
【０１０３】
図２５Ｃに示すように、画像光Ｇ２をＹ（＋）軸方向に射出させるための光学系を構成するのが、投写部２５１となる。投写部２５１は、上述した投写部２５０と同様に構成されているが、異なるのは、反射ミラー２６０を備えていることである。
【０１０４】
図２５Ｃに示すように、投写部２５１が備える反射ミラー２６０は、投写レンズ２２７の後段に設置され、投写レンズ２２７から射出された画像光Ｇ２をＹ（＋）軸方向に反射させる。そして、反射ミラー２６０で反射した画像光Ｇ２が、透光部材３２５に入射して透過し、Ｙ（＋）軸方向に射出される。その他の投写部２５１を構成する光学系の動作に関しては、投写部２５０を構成する光学系と同様となるため、説明を省略する。
【０１０５】
図２５Ｂに示すように、筐体６２５の底面６２５ｆには、拡散部材５２５が四角形に設置されている。
【０１０６】
＜実施形態２６＞
実施形態２６に係るプロジェクター１２６に関し、図２６Ａ、図２６Ｂを参照して説明する。
図２６Ａ、図２６Ｂは、実施形態２６に係るプロジェクター１２６を示す斜視図である。詳細には、図２６Ａは、正面側で右側上方から見た斜視図である。図２６Ｂは、背面側で左側下方から見た斜視図である。
【０１０７】
実施形態２６のプロジェクター１２６において、透光部材３２５Ａは、実施形態２５の透光部材３２５と同様に、筐体６２５の右側面６２５ｃで、Ｘ（＋）軸方向の端部に設置されている。実施形態２５と異なるのは、実施形態２５の透光部材３２５が、右側面６２５ｃの上下方向の幅に一致して設置されていることに対し、透光部材３２５Ａは、右側面６２５ｃの外縁を残して設置されていることである。その他の構成は、実施形態２５のプロジェクター１２５と同様に構成されている。
【０１０８】
＜実施形態２７＞
実施形態２７に係るプロジェクター１２７に関し、図２７Ａ、図２７Ｂ、図２７Ｃを参照して説明する。
図２７Ａ、図２７Ｂは、実施形態２７に係るプロジェクター１２７を示す斜視図である。詳細には、図２７Ａは、正面側で右側上方から見た斜視図である。図２７Ｂは、背面側で左側下方から見た斜視図である。図２７Ｃは、プロジェクター１２７の構成を示す水平方向の概略断面図である。
【０１０９】
実施形態２７のプロジェクター１２７において、実施形態２５の透光部材３２５と同様に、筐体６２５の右側面６２５ｃで、Ｘ（＋）軸方向の端部に、右側面６２５ｃの上下方向の幅に一致して透光部材３２５が設置されている。実施形態２５と異なるのは、実施形態２７では、透光部材３２７が、筐体６２５の正面６２５ａの全面を覆って設置されていることである。従って、実施形態２７のプロジェクター１２７は、２つの透光部材３２５，３２７が一体となる状態で設置されている。
【０１１０】
実施形態２７では、透光部材３２５を介して、実施形態２５と同様に、画像光Ｇ２が、Ｙ（＋）軸方向に射出される。更に、実施形態２７では、透光部材３２７を介して、上述した実施形態１〜実施形態２４と同様に、画像光Ｇ１が、Ｘ（＋）軸方向に射出される。
【０１１１】
図２７Ｃに示すように、画像光Ｇ１をＸ（＋）軸方向に射出させ、画像光Ｇ２をＹ（＋）軸方向に射出させるための光学系を構成するのが、投写部２５１Ａとなる。投写部２５１Ａは、上述した投写部２５１と同様に構成されているが、異なるのは、反射ミラー２６０の位置を変化させる反射ミラー駆動部２６１を備えていることである。
【０１１２】
図２７Ｃに示すように、投写部２５１Ａが備える反射ミラー２６０は、投写部２５１と同様に、投写レンズ２２７の後段に設置される。なお、実施形態２７では、反射ミラー駆動部２６１が反射ミラー２６０の位置を変化させる。
【０１１３】
詳細には、図２７Ｃに示すように、Ｙ（＋）軸方向に画像光Ｇ２として射出させる場合には、反射ミラー駆動部２６１が駆動することにより、反射ミラー２６０の位置をＡの位置とする。また、Ｘ（＋）軸方向に画像光Ｇ１として射出させる場合には、反射ミラー駆動部２６１が駆動することにより、反射ミラー２６０の位置をＢの位置とする。
【０１１４】
反射ミラー２６０の位置をＡの位置とした場合、投写レンズ２２７から射出された画像光は、反射ミラー２６０でＹ（＋）軸方向に反射する。また、反射ミラー２６０の位置をＢの位置とした場合、投写レンズ２２７から射出された画像光は、そのままＸ（＋）軸方向に直進する。
【０１１５】
反射ミラー２６０で反射した画像光Ｇ２は、透光部材３２５に入射して透過し、Ｙ（＋）軸方向に射出され、Ｙ（＋）軸方向に位置する壁面１１に設置されるスクリーンＳＣ等に画像として投写される。一方、投写レンズ２２７から射出され直進した画像光Ｇ１は、透光部材３２７に入射して透過し、Ｘ（＋）軸方向に射出され、Ｘ（＋）軸方向に位置する壁面１１に設置されるスクリーンＳＣ等に画像として投写される。
【０１１６】
その他の投写部２５１Ａを構成する光学系の動作に関しては、投写部２５０を構成する光学系と同様となるため、説明を省略する。また、その他のプロジェクター１２７の構成は、実施形態２５のプロジェクター１２５と同様に構成されている。
【０１１７】
＜実施形態２８＞
実施形態２８に係るプロジェクター１２８に関し、図２８Ａ、図２８Ｂを参照して説明する。
図２８Ａ、図２８Ｂは、実施形態２８に係るプロジェクター１２８を示す斜視図である。詳細には、図２８Ａは、正面側で右側上方から見た斜視図である。図２８Ｂは、背面側で左側下方から見た斜視図である。
【０１１８】
実施形態２８のプロジェクター１２８は、実施形態２５の透光部材３２５と同様に、筐体６２５の右側面６２５ｃで、Ｘ（＋）軸方向の端部に、右側面６２５ｃの上下方向の幅に一致して透光部材３２５が設置されている。実施形態２５と異なるのは、実施形態２８では、更に、透光部材３２５が、筐体６２５の右側面６２５ｃで、Ｘ（−）軸方向の端部に、右側面６２５ｃの上下方向の幅に一致して設置されていることである。従って、実施形態２８のプロジェクター１２８は、２つの透光部材３２５が右側面６２５ｃのＸ軸方向の両端部に設置されている。
【０１１９】
実施形態２８では、２つの透光部材３２５を介して、実施形態２５と同様に、画像光Ｇ２が、Ｙ（＋）軸方向に射出される。なお、光学系は、投写部２５１を２つ用いている。その他のプロジェクター１２８の構成は、実施形態２５のプロジェクター１２５と同様に構成されている。
【０１２０】
＜実施形態２９＞
実施形態２９に係るプロジェクター１２９に関し、図２９Ａ〜図２９Ｈを参照して説明する。
図２９Ａ、図２９Ｂは、実施形態２９に係るプロジェクター１２９を示す斜視図である。詳細には、図２９Ａは、正面側で右側上方から見た斜視図である。図２９Ｂは、背面側で左側下方から見た斜視図である。
【０１２１】
図２９Ｃ〜図２９Ｈは、実施形態２９に係るプロジェクター１２９を各軸方向から見た図である。詳細には、図２９Ｃは、Ｘ（＋）軸方向から見た図（正面図）である。図２９Ｄは、Ｘ（−）軸方向から見た図（背面図）である。図２９Ｅは、Ｙ（＋）軸方向から見た図（右側面図）である。図２９Ｆは、Ｙ（−）軸方向から見た図（左側面図）である。図２９Ｇは、Ｚ（＋）軸方向から見た図（天面図）である。図２９Ｈは、Ｚ（−）軸方向から見た図（底面図）である。
【０１２２】
実施形態２９のプロジェクター１２９において、筐体６２９は、断面（ＹＺ平面での断面）が円形で柱状に伸びて構成されている。実施形態２９の筐体６２９に対して、断面が円形で柱状に延びた長手方向となるＸ軸方向の両端面において、Ｘ（＋）軸方向の端面を正面６２９ａとし、Ｘ（−）軸方向の端面を背面６２９ｂとする。また、断面が円形の柱状の側面を外周面６２９ｃとする。
【０１２３】
透光部材３２９は、外周面６２９ｃのＸ（＋）軸方向の端部近くに円形に設置されている。また、透光部材３２９は、外周面６２９ｃの曲面に沿って形成されている。そして、画像光Ｇ２は、透光部材３２９を介して、Ｙ（＋）軸方向に射出される。また、図２９Ｂ、図２９Ｈに示すように、筐体６２９の外周面６２９ｃの下方向には、拡散部材５２９が設置されている。拡散部材５２９は、平面形状が概トラック形状で、外周面６２９ｃに沿った曲面で構成されて設置されている。その他の構成は、実施形態２５のプロジェクター１２５と同様に構成されている。
【０１２４】
以下に、上記実施形態から導き出される内容を記載する。
【０１２５】
プロジェクターは、画像光を射出する投写部と、投写部から射出された画像光を透過させる透光部材と、照明光を射出する照明部と、照明部から射出された照明光を拡散させる拡散部材と、投写部および照明部を内蔵し、透光部材および拡散部材が設置されて柱状に伸びて形成される筐体と、を備え、筐体は、複数方向から支持する支持部材により吊下げられることを特徴とする。
【０１２６】
この構成によれば、プロジェクターを天井面に吊下げた場合、複数の方向から筐体を支持する支持部材を取付けているため、風等によりプロジェクターが揺れる場合にも、揺れを抑制して小さくでき、また、揺れを収束させる時間も短くできる。従って、投写された画像の揺れを抑制することができ、画像が見難くなることを抑制することができる。
【０１２７】
上記のプロジェクターにおいて、透光部材は、筐体の長手方向の端面および/または短手方向の側面に設置されていることが好ましい。
【符号の説明】
【０１２８】
１００…プロジェクター、１０１〜１２９…プロジェクター、２５０，２５１，２５１Ａ…投写部、３０１，３０１Ａ〜３０１Ｃ，３０６，３０６Ａ〜３０６Ｃ，３１０，３１０Ａ〜３１０Ｃ，３１５〜３２５，３２５Ａ，３２７，３２９…透光部材、４０１…照明部、５０１，５０１Ａ，５１０，５１０Ａ，５１３，５１６〜５２５，５２９…拡散部材、６０１，６０１Ａ，６１０，６１０Ａ，６１３，６１６〜６２３，６２３Ａ，６２４Ａ，６２５，６２９…筐体、８０１…支持部材。
【図１Ａ】
2019174601.tif 000003
【図１Ｂ】
2019174601.tif 000004
【図１Ｃ】
2019174601.tif 000005
【図１Ｄ】
2019174601.tif 000006
【図１Ｅ】
2019174601.tif 000007
【図１Ｆ】
2019174601.tif 000008
【図１Ｇ】
2019174601.tif 000009
【図１Ｈ】
2019174601.tif 000010
【図１Ｉ】
2019174601.tif 000011
【図１Ｊ】
2019174601.tif 000012
【図１Ｋ】
2019174601.tif 000013
【図２Ａ】
2019174601.tif 000014
【図２Ｂ】
2019174601.tif 000015
【図２Ｃ】
2019174601.tif 000016
【図２Ｄ】
2019174601.tif 000017
【図２Ｅ】
2019174601.tif 000018
【図２Ｆ】
2019174601.tif 000019
【図２Ｇ】
2019174601.tif 000020
【図２Ｈ】
2019174601.tif 000021
【図３Ａ】
2019174601.tif 000022
【図３Ｂ】
2019174601.tif 000023
【図４Ａ】
2019174601.tif 000024
【図４Ｂ】
2019174601.tif 000025
【図５Ａ】
2019174601.tif 000026
【図５Ｂ】
2019174601.tif 000027
【図６Ａ】
2019174601.tif 000028
【図６Ｂ】
2019174601.tif 000029
【図６Ｃ】
2019174601.tif 000030
【図７Ａ】
2019174601.tif 000031
【図７Ｂ】
2019174601.tif 000032
【図７Ｃ】
2019174601.tif 000033
【図８Ａ】
2019174601.tif 000034
【図８Ｂ】
2019174601.tif 000035
【図８Ｃ】
2019174601.tif 000036
【図９Ａ】
2019174601.tif 000037
【図９Ｂ】
2019174601.tif 000038
【図９Ｃ】
2019174601.tif 000039
【図１０Ａ】
2019174601.tif 000040
【図１０Ｂ】
2019174601.tif 000041
【図１０Ｃ】
2019174601.tif 000042
【図１０Ｄ】
2019174601.tif 000043
【図１０Ｅ】
2019174601.tif 000044
【図１０Ｆ】
2019174601.tif 000045
【図１０Ｇ】
2019174601.tif 000046
【図１０Ｈ】
2019174601.tif 000047
【図１１Ａ】
2019174601.tif 000048
【図１１Ｂ】
2019174601.tif 000049
【図１１Ｃ】
2019174601.tif 000050
【図１１Ｄ】
2019174601.tif 000051
【図１１Ｅ】
2019174601.tif 000052
【図１１Ｆ】
2019174601.tif 000053
【図１１Ｇ】
2019174601.tif 000054
【図１１Ｈ】
2019174601.tif 000055
【図１２Ａ】
2019174601.tif 000056
【図１２Ｂ】
2019174601.tif 000057
【図１３Ａ】
2019174601.tif 000058
【図１３Ｂ】
2019174601.tif 000059
【図１３Ｃ】
2019174601.tif 000060
【図１３Ｄ】
2019174601.tif 000061
【図１３Ｅ】
2019174601.tif 000062
【図１３Ｆ】
2019174601.tif 000063
【図１３Ｇ】
2019174601.tif 000064
【図１３Ｈ】
2019174601.tif 000065
【図１４Ａ】
2019174601.tif 000066
【図１４Ｂ】
2019174601.tif 000067
【図１５Ａ】
2019174601.tif 000068
【図１５Ｂ】
2019174601.tif 000069
【図１５Ｃ】
2019174601.tif 000070
【図１６Ａ】
2019174601.tif 000071
【図１６Ｂ】
2019174601.tif 000072
【図１７Ａ】
2019174601.tif 000073
【図１７Ｂ】
2019174601.tif 000074
【図１８Ａ】
2019174601.tif 000075
【図１８Ｂ】
2019174601.tif 000076
【図１９Ａ】
2019174601.tif 000077
【図１９Ｂ】
2019174601.tif 000078
【図２０Ａ】
2019174601.tif 000079
【図２０Ｂ】
2019174601.tif 000080
【図２１Ａ】
2019174601.tif 000081
【図２１Ｂ】
2019174601.tif 000082
【図２２Ａ】
2019174601.tif 000083
【図２２Ｂ】
2019174601.tif 000084
【図２３Ａ】
2019174601.tif 000085
【図２３Ｂ】
2019174601.tif 000086
【図２３Ｃ】
2019174601.tif 000087
【図２３Ｄ】
2019174601.tif 000088
【図２４Ａ】
2019174601.tif 000089
【図２４Ｂ】
2019174601.tif 000090
【図２４Ｃ】
2019174601.tif 000091
【図２４Ｄ】
2019174601.tif 000092
【図２５Ａ】
2019174601.tif 000093
【図２５Ｂ】
2019174601.tif 000094
【図２５Ｃ】
2019174601.tif 000095
【図２６Ａ】
2019174601.tif 000096
【図２６Ｂ】
2019174601.tif 000097
【図２７Ａ】
2019174601.tif 000098
【図２７Ｂ】
2019174601.tif 000099
【図２７Ｃ】
2019174601.tif 000100
【図２８Ａ】
2019174601.tif 000101
【図２８Ｂ】
2019174601.tif 000102
【図２９Ａ】
2019174601.tif 000103
【図２９Ｂ】
2019174601.tif 000104
【図２９Ｃ】
2019174601.tif 000105
【図２９Ｄ】
2019174601.tif 000106
【図２９Ｅ】
2019174601.tif 000107
【図２９Ｆ】
2019174601.tif 000108
【図２９Ｇ】
2019174601.tif 000109
【図２９Ｈ】
2019174601.tif 000110